(57)【要約】【課題】 コンパクトで、画像と音声との双方を充分に楽しむことができるカメラを提供すること。【解決手段】  画像表示される画像表示画面と音声を再生するスピーカ１２１１とが同一方向に向いて配備された再生面を有しその再生面がカメラ本体に重なるように折り畳まれた閉状態と、その再生面がそのカメラ本体から開いてその再生面が撮影者側に向いた開状態との間で開閉自在にそのカメラ本体に取り付けられる再生ユニット１２０を設ける。再生ユニット１２０を、筐体１２１０ａと筐体１２１０ｂと蛇腹１２１２とからなる共鳴箱で構成し、開状態のときには再生ユニット１２０の蛇腹１２１２を伸ばしてスピーカ１２９ｂの共鳴箱を拡大させ、閉状態のときには蛇腹１２１２を縮めて共鳴箱を縮小させてカメラ本体に収容する。【選択図】  図１
2005080196.tif 000002
【特許請求の範囲】
【請求項１】
撮影により被写体を表わす画像データを得るとともに、該画像データに対応づける音声データを得て該画像データと該音声データとの双方を記録し、再生時には該画像データにより表わされた画像と該音声データにより表わされた音声との双方の再生を行なうカメラにおいて、
撮影を行なうカメラ本体と、
画像が表示される画像表示画面と音声を再生するスピーカとが同一方向に向いて配備された再生面を有し、該再生面が前記カメラ本体に重なるように折り畳まれた閉状態と、該再生面が該カメラ本体から開いて該再生面が撮影者側に向いた開状態との間で開閉自在に該カメラ本体に取り付けられた再生ユニットとを備えたことを特徴とするカメラ。
【請求項２】
前記再生ユニットが、縮小自在に拡大される、前記スピーカの共鳴箱を有するものであることを特徴とする請求項１記載のカメラ。
【請求項３】
前記再生ユニットは、前記共鳴箱を縮小、および拡大するための蛇腹を備えたものであることを特徴とする請求項２記載のカメラ。
【発明の詳細な説明】
【技術分野】
【０００１】
本発明は、撮影により被写体を表わす画像データを得るとともに、その画像データに対応づける音声データを得てその画像データとその音声データとの双方を記録し、再生時にはその画像データにより表わされた画像とその音声データにより表わされた音声との双方の再生を行なうカメラに関する。
【背景技術】
【０００２】
カメラの中には、撮影により被写体を表わす画像データを得るとともに、その画像データに対応づける音声データを得てその画像データとその音声データとの双方を記録し、再生時にはその画像データにより表わされた画像とその音声データにより表わされた音声との双方の再生を行なうものがある（例えば特許文献１参照）。
【０００３】
このようなカメラで動画像を再生し画像表示画面に画像表示を行なった場合、動画像を記録したときに収録された音声も一緒に再生される。
【０００４】
しかし、このようなカメラにおいては、カメラ本体をコンパクトにする必要があるため、カメラ本体の側面あるいは上面の狭いスペースにスピーカを収めなければならず、スピーカの向きを撮影者に向けることができない場合が多い。このため、撮影者が撮影記録した画像を再生し、音声とともにその画像を楽しもうとした場合、撮影者が表示画面を見る視方向と撮影者がスピーカから発音される音声を聞き取る聴取方向とにずれが生じ、撮影者が画像と音声との双方を楽しむことができないといった問題が起こる。
【特許文献１】特開平７−３３６５７６号公報
【発明の開示】
【発明が解決しようとする課題】
【０００５】
本発明は、上記事情に鑑み、コンパクトで、画像と音声との双方を充分に楽しむことができるカメラを提供することを目的とする。
【課題を解決するための手段】
【０００６】
上記目的を達成する本発明のカメラは、撮影により被写体を表わす画像データを得るとともに、その画像データに対応づける音声データを得てその画像データとその音声データとの双方を記録し、再生時にはその画像データにより表わされた画像とその音声データにより表わされた音声との双方の再生を行なうカメラにおいて、
撮影を行なうカメラ本体と、
画像が表示される画像表示画面と音声を再生するスピーカとが同一方向に向いて配備された再生面を有し、その再生面が上記カメラ本体に重なるように折り畳まれた閉状態と、その再生面がそのカメラ本体から開いてその再生面が撮影者側に向いた開状態との間で開閉自在にそのカメラ本体に取り付けられた再生ユニットとを備えたことを特徴とする。
【０００７】
上記本発明のカメラによれば、画像が表示される画像表示画面と音声が再生されるスピーカとが同一方向に向いて配備された再生面を有しているので、上記再生ユニットを開状態にした場合、撮影者が表示画面を見る視方向とスピーカから発音される音を聞き取る聴取方向とが一致する。
【０００８】
ここで、上記再生ユニットが、縮小自在に拡大される、上記スピーカの共鳴箱を有するものであることが好ましい。
【０００９】
このように再生ユニットが共鳴箱を有するものであるので共鳴箱によって品質の良い音声が再生される。また、上記閉状態になると、再生面がカメラ本体に重なるように折り畳まれ、再生ユニットがカメラ本体にコンパクトに収容される。
【００１０】
また、上記再生ユニットは、上記共鳴箱を縮小、および拡大するための蛇腹を備えたものであることが好ましい。
【００１１】
そうすると、上記再生ユニットが有する共鳴箱を、上記蛇腹を縮ませることにより縮小させてカメラ本体にコンパクトに収容することも、上記共鳴箱を、上記蛇腹を伸ばすことにより拡大させて品質の良い音声を得ることもできる。
【発明の効果】
【００１２】
以上、説明したように、コンパクトで、画像と音声との双方を充分に楽しむことができるカメラを提供することができる。
【発明を実施するための最良の形態】
【００１３】
以下、本発明の実施形態について説明する。
【００１４】
図１は本発明の実施形態を示すカメラを背面斜め上方から見た斜視図である。図１（ａ）にはこのカメラが備える再生ユニット１２０が開状態にある場合、図１（ｂ）にはこのカメラが備える再生ユニット１２０が閉状態にある場合がそれぞれ示されている。なおここではカメラとしてビデオカメラを例に掲げている。
【００１５】
図１に示すようにカメラの前方には撮影レンズ１０と不図示のマイクロフォンが配備されている。その撮影レンズ１０を前方側としてこのカメラ１の背面側にはモード切替スイッチ１１が設けられており、このモード切替スイッチ１１の操作により、動画撮影（ＲＥＣ）と再生（ＰＬＡＹ）とが切り替えられる。このモード切替スイッチ１１が撮影（ＲＥＣ）側に切り換えられるとスルー画像が再生ユニット１２０の表示画面１２１１上に表示される。このスルー画像が表示画面１２１１に表示されているときに、そのモード切替スイッチ１１の隣にある録画ボタン１２が押されると、再度録画ボタン１２が押されるまで、撮影レンズ１０で捉えた被写体光に基づく動画像データおよびマイクロフォンで収録された音声に基づく音声データがカメラ内部の記録メディアに記録される。さらにモード切替スイッチ１１が再生（ＰＬＡＹ）側に切り換えられると、記録メディアに記録されている動画像データにより表わされた画像と音声データにより表わされた音声との双方の再生が行なわれる。
【００１６】
このカメラには、図１（ａ）、図１（ｂ）に示すように、画像表示される画像表示画面と音声を再生するスピーカとが同一方向に向いて配備された再生面１２０ａを有し、その再生面１２０ａがカメラ本体に重なるように折り畳まれた閉状態と、その再生面がカメラ本体から開いて再生面１２０ａが撮影者側に向いた開状態との間で開閉自在に再生ユニット１２０がカメラ本体に取り付けられている。
【００１７】
この再生ユニット１２０は、図１（ａ）に示すように表示画面として機能するＬＣＤ１２１１と音声を再生するスピーカと、ＬＣＤ１２１１とスピーカ１２９ｂとを収容する筐体１２１０と、筐体を２分してそれら２分された筐体を連結する蛇腹１２１２とからなり、筐体１２１０がカメラ本体１ａにヒンジ１２１３によって回動自在に取り付けられている。
【００１８】
図１（ｂ）に示すように蛇腹１２１２を縮小して筐体１２１０ａ，１２１０ｂをカメラ本体側に回動し、カメラ本体と筐体とを止め具などによって連結すると閉状態になってカメラ本体に再生ユニット１２０がコンパクトに収容される。この状態から再生ユニット１２０が図１（ａ）に示すように回動されると、２分された筐体１２１０ａ，１２１０ｂを連結している蛇腹１２１２が伸び、その伸びた蛇腹１２１２と筐体１２１０ａ，１２１０ｂにより拡大された共鳴箱が構成される。
【００１９】
撮影者はこの再生ユニット１２０を図１（ａ）に示す開状態にしてモード切替スイッチ１１を再生ＰＬＡＹ側に切り換え、再生ユニット１２０の表示画面１２１１上に記録媒体に記憶されている画像データの中からいずれかの画像データに基づく表示画像を表示させる。このときには音声も同時に再生され、共鳴箱によって品質の向上した音声が再生される。
【００２０】
また、ＲＥＣ側に切り替えられたら、撮影レンズによって捉えられる被写体に基づくスルー画像が表示画面１２１１に表示される。
【００２１】
さらに録画ボタンが押されたら、撮影レンズによって捉えられた被写体に基づく画像データが記録媒体に記録される。このときには図示しないマイクロフォンによって収録された音声も音声データとして一緒に記録媒体に記録される。このマイクロフォンで収録され、記録媒体に記録された音声データに基づく音声がスピーカ１２９ｂから再生される。
【００２２】
ここでこのカメラ内部に配備された信号処理部の構成を、図２を参照して説明する。
【００２３】
図３はデジタルカメラ１００の内部に配備された信号処理部の構成ブロック図である。
【００２４】
本実施形態のデジタルカメラ１ではすべての動作が統括的にＣＰＵ１１０によって制御されている。図３に示す画像入力コントローラ１１５以降の部分は、ＤＳＰで構成されており、このＤＳＰとＣＰＵ１１０とが協働して処理が行なわれる。
【００２５】
ここではまず、再生ユニットが装着されたまま、モード切替スイッチ１１が撮影側（ＲＥＣ）に切り替えられたときのＣＰＵ１１０の処理を説明する。
【００２６】
モード切替スイッチ１１がＲＥＣ側に切り換えられると、ＣＰＵ１１０は撮影モードであることを認識し、撮影レンズのうち、焦点調節自在なフォーカスレンズ１０１を合焦点に位置させ、所定の撮影画角内の被写体を固体撮像素子たとえばＣＣＤ１１１上に結像させる。ＣＣＤ１１１ではその合焦点に位置させたフォーカスンズにより結像した被写体を表わす画像データを生成する。このＣＣＤ１１１で生成した画像データをタイミングジェネレータ１１２のタイミング信号に応じて所定の間隔ごとに後段に出力させ、画像データに基づく画像を表示画面上にスルー画像として表示させる。ここでいうスルー画像とはこのカメラ１のフォーカスレンズ１０１を含む撮影レンズ１０が向けられた方向の被写体を表わすスルー画像であり、撮影者は表示画面１２１１上に表示されているスルー画像をファインダ代わりにして撮影を行なう。
【００２７】
このスルー画像を生成するに当たり、焦点調節自在なフォーカスレンズ１０１を、撮影レンズ１０がいろいろな方向に向けられる度に合焦点位置に配置する必要がある。そこでスルー画像のピントずれが起きたときには、ＣＰＵ１１０はフォーカスレンズ１０１を被写体距離の最遠点に対応する位置から最近点に対応する位置までモータドライバ１０１ａにより移動させ、合焦点のサーチを行なっている。この合焦点のサーチを行なうときには、ＣＰＵ１１０から後段のＡＦ検出回路１２６にサーチを行なうという通知を行なって、フォーカスレンズを動かしながらＡＦ検出回路にコントラストのピークの検出を行なわせている。ＡＦサーチが終了したら、ＣＰＵ１１０はＡＦ検出回路１２６で検出された合焦点の位置を示すデータを受け取り、合焦点の位置にフォーカスレンズ１０１をモータドライバにより位置させている。このフォーカスレンズ１０１を移動させながら合焦点のサーチを行なうことをＡＦサーチと呼ぶ。
【００２８】
ＣＰＵ１１０は、撮影レンズ１０が向けられる方向が変わる度にフォーカスレンズ１０１を動かしながらＡＦ検出回路１２６にＡＦサーチを行なわせ、絶えず合焦点位置にフォーカスレンズ１０１を位置させるので、撮影レンズ１０が向けられる方向が変わってもすぐに焦点のあったスルー画像がＬＣＤ１２０上に表示される。
【００２９】
このようにＲＥＣ側に切り換えられ撮影レンズを動かして焦点調節が行なわれ、ＣＣＤで画像データを得た後、画像データがどのように処理されるかを説明する。
【００３０】
ＣＰＵ１１０は、ＣＣＤ１１１で得た画像データをタイミングジェネレータ１１２からＣＣＤ１１１にタイミング信号を供給させることにより所定の間隔ごとにＣＤＳＡＭＰ１１３側に出力させている。またＣＰＵ１１０は、ＣＤＳＡＭＰ１１３で画像データの雑音を低減させ、雑音を低減させた画像データをＡ／Ｄ変換部１１４に供給させている。さらにＣＰＵ１１０はこのＡ／Ｄ変換部１１４で画像データをデジタル信号に変換させ、このデジタル信号に変換された画像データをＤＳＰ側の画像入力コントローラ１１５によりバス側に導かせ、このバス側に導かせた画像データを一旦メモリ１１６に記憶させている。
【００３１】
ここからはバス１１０１を介してＤＳＰ側で処理が行なわれる。
【００３２】
このメモリに記憶した画像データをＣＰＵ１１０の指示に基づいて画像信号処理回路１１７が読み出し、表示画面１２１１上に表示可能なＹＣ信号の画像データへ変換している。この変換したＹＣ信号の画像データをＣＰＵ１１０の指示に基づいてＶＲＡＭ１１８に記憶し、このＶＲＡＭ１１８からビデオエンコーダを介してＬＣＤ１２０に供給して表示画面１２１１上に画像データに基づく画像を表示させている。
【００３３】
ＬＣＤ１２０ではＶＲＡＭ１１８の２つの記憶領域Ａ、Ｂから所定の間隔ごとに交互にＹＣ信号の供給を受けて、被写体を表わす画像を切り替えて表示画面上にスルー画像を表示させている。
【００３４】
以上が、モード切替スイッチ１１がＲＥＣ側に切り替えられたときに画像データを処理してスルー画像を得るときの画像データの流れである。
【００３５】
次に撮影モードのときに録画ボタン１２が押下され動画像の撮影が開始されたときの画像データの流れを説明する。
【００３６】
この録画ボタン１２が押下されたときには、録画ボタン１２が押下されたことをＣＰＵ１１０で検出し、ＣＰＵ１１０は、画像入力コントローラに導かせた画像データを一旦メモリ１１６に記憶させる。このメモリ１１６に記憶させた画像データを画像信号理回路１１７が読み出し、画像信号処理回路１１７で処理を行ない、以降圧縮処理回路１２３、メディアコントローラ１２４を介して記録メディア１２５に撮影動画像を記録する。このときにはマイクロフォン１２９ａで収録された音声に基づく音声データもオーディオＩＦ１２９を介してバス側に導かれ、撮影動画像とともにメディアコントローラ１２４により記録メディア１２５に記録される。再度録画ボタン１２が押されたら、記録メディア１２５への記録を終了させ、スルー画像を再度再生ユニットの表示画面（ＬＣＤ）１２１１上に表示させる。
【００３７】
そしてモードスイッチが再生（ＰＬＡＹ）側に切り換えられたら、その記録メディアに記録した動画像データに基づく動画像と音声データに基づく音声データがビデオエンコーダ１１９並びにオーディオＩＦ１２９により双方再生され、動画像は表示画面に表示され、音声はスピーカ１２９ｂを通して発音される。
【００３８】
このようにＣＰＵ１１０とＤＳＰとを含んだ信号処理部で、スルー画像の処理や撮影に係る画像および音声の記録処理および再生処理が行なわれる。
【００３９】
図１（ａ）に示すように再生を行なうときには、２分された筐体１２１０ａ，１２１０ｂを連結している蛇腹１２１２が拡大され、筐体１２１０ａ，１２１０ｂと蛇腹１２１２とが共鳴箱になってスピーカの特性が改善され、再生される音声の音質が向上する。さらに撮影者の聴取方向と撮影者の視方向とが同一の方向となるので、音の放射域が必ず画像を見ている撮影者の方向を向き、共鳴箱によって高音質となった音声がスピーカから発音され、撮影者に確実に伝えられる。
【００４０】
なお本実施形態ではビデオカメラを例に挙げたが、デジタルカメラであっても良い。
【図面の簡単な説明】
【００４１】
【図１】本発明の一実施形態であるカメラの外観図である。
【図２】図１のデジタルカメラ内に配備される信号処理部の構成ブロック図である。
【符号の説明】
【００４２】
１    カメラ
１０    撮影レンズ
１１    モード切替スイッチ
１２    録画ボタン
１２０    再生ユニット
１２１０  筐体
１２１１  表示画面（ＬＣＤ）
１２１２    蛇腹
１０１    フォーカスレンズ
１０１ａ    モータドライバ
１１    モード切替スイッチ
１２    録画ボタン
１１０    ＣＰＵ
１１１    ＣＣＤ
１１２    タイミングジェネレータ
１１３    ＣＤＳＡＭＰ
１１４    Ａ／Ｄ変換部
１１５    画像入力コントローラ
１１６    メモリ
１１７    画像信号処理回路
１１８    ＶＲＡＭ
１１９    ビデオエンコーダ
１２３    圧縮処理回路
１２４    メディアコントローラ
１２５    記録メディア
１２６    ＡＦ検出回路
１２７    ＡＥ＆ＡＷＢ検出回路
１２８    絞り（ＩＲＩＳ）
１２８ａ    モータドライバ
１２９    オーディオＩＦ回路
１２９ａ    マイクロフォン
１２９ｂ    スピーカ
【図１】
2005080196.tif 000003
【図２】
2005080196.tif 000004